(57)【要約】【課題】  番組を録画しているＤＶＤ録画／再生部にセットされているＤＶＤの空き容量が無くなる直前に、ビデオテープ録画／再生部においてこの番組を録画するリレー録画が行え、且つ装置本体の消費電力の無駄を抑えた複合装置を提供する。【解決手段】  ＤＶＤ処理部４が録画中に、記録媒体であるＤＶＤの空き容量を監視し、空き容量が所定量に達したときに、リレー録画の要求を制御部２に行う。制御部２は、この要求に基づいて、ＶＴ処理部５にリレー録画を指示する。そして、リレー録画が指示されたＶＴ処理部５が番組の録画を開始する。したがって、ＤＶＤ処理部４と、ＶＴ処理部５の両方が、共に番組を録画している時間がわずかであり、装置本体の消費電力を十分に抑えることができる。【選択図】  図１
2005333577.tif 000002
【特許請求の範囲】
【請求項１】
受信している放送信号から選択されているチャンネルで放送されている番組を抽出する受信手段と、
前記受信手段が抽出した番組をＤＶＤに録画、およびＤＶＤに録画されている番組の再生を行うＤＶＤ録画／再生手段と、
前記受信手段が抽出した番組をビデオテープに録画、およびビデオテープに録画されている番組の再生を行うビデオテープ録画／再生手段と、
前記ＤＶＤ録画／再生手段による番組の録画を実行しているとき、本体にセットされているＤＶＤの空き容量が無くなって、このＤＶＤへの番組の録画が実行できなくなる直前に、前記ビデオテープ録画／再生手段によりこの番組の録画を開始するリレー録画を制御する制御手段と、を備えた複合装置において、
前記ＤＶＤ録画／再生手段は、録画中に本体にセットされているＤＶＤの空き容量を監視し、該ＤＶＤの空き容量が所定量に達したときに、前記制御手段に対してビデオテープによる前記リレー録画の要求を行い、
前記制御手段は、前記ＤＶＤ録画／再生手段からリレー録画の要求があると、前記ビデオテープ録画／再生手段に対して、リレー録画の開始を指示し、
前記ビデオテープ録画／再生手段は、前記制御手段からリレー録画の開始の指示があると、本体にセットされているビデオテープにおけるこのリレー録画の開始位置にインデックスを記録し、番組の録画を開始し、
また、前記ビデオテープ録画／再生手段は、前記ＤＶＤ録画／再生手段において前記リレー録画を行った番組の再生が開始されたとき、ビデオテープに記録されている前記インデックスを基に、このビデオテープにおけるリレー録画の開始位置の頭出しを行い、
前記ＤＶＤ録画／再生手段は、リレー録画した番組の再生中に本体にセットされているＤＶＤの残りの再生時間を監視し、該ＤＶＤの残りの再生時間が所定時間に達したときに、前記制御手段に対してビデオテープによる前記リレー再生の要求を行い、
前記制御手段は、前記ＤＶＤ録画／再生手段からのリレー再生の要求があると、前記ビデオテープ録画／再生手段にリレー録画された番組のリレー再生開始を指示し、
前記ビデオテープ録画／再生手段は、前記制御手段からリレー再生開始の指示があると、本体にセットされているビデオテープの再生を開始し、
さらに、録画開始時間、録画終了時間、録画するチャンネル、および録画媒体への録画を実行する録画／再生手段を指定する予約録画情報を受け付ける予約録画受付手段と、
前記リレー録画が実行された後、本体にセットされているＤＶＤまたはビデオテープの少なくとも一方が本体から取り出されると、前記ビデオテープ録画／再生手段による前記リレー再生を禁止するリレー再生禁止手段と、を備え、
前記制御手段は、前記予約録画受付手段が受け付けている前記予約録画情報に基づいて、前記録画／再生手段による番組の録画を制御する複合装置。
【請求項２】
受信している放送信号から選択されているチャンネルで放送されている番組を抽出する受信手段と、
前記受信手段が抽出した番組をＤＶＤに録画、およびＤＶＤに録画されている番組の再生を行うＤＶＤ録画／再生手段と、
前記受信手段が抽出した番組をビデオテープに録画、およびビデオテープに録画されている番組の再生を行うビデオテープ録画／再生手段と、
前記ＤＶＤ録画／再生手段による番組の録画を実行しているとき、本体にセットされているＤＶＤの空き容量が無くなって、このＤＶＤへの番組の録画が実行できなくなる直前に、前記ビデオテープ録画／再生手段によりこの番組の録画を開始するリレー録画を制御する制御手段と、を備えた複合装置において、
前記ＤＶＤ録画／再生手段は、録画中に本体にセットされているＤＶＤの空き容量を監視し、該ＤＶＤの空き容量が所定量に達したときに、前記制御手段に対してビデオテープによる前記リレー録画の要求を行い、
前記制御手段は、前記ＤＶＤ録画／再生手段からリレー録画の要求があると、前記ビデオテープ録画／再生手段に対して、リレー録画の開始を指示し、
前記ビデオテープ録画／再生手段は、前記制御手段からリレー録画の開始の指示があると、本体にセットされているビデオテープにおけるこのリレー録画の開始位置にインデックスを記録し、番組の録画を開始し、
さらに、前記ビデオテープ録画／再生手段は、前記ＤＶＤ録画／再生手段において前記リレー録画を行った番組の再生が開始されたとき、ビデオテープに記録されている前記インデックスを基に、このビデオテープにおけるリレー録画の開始位置の頭出しを行い、
前記ＤＶＤ録画／再生手段は、リレー録画した番組の再生中に本体にセットされているＤＶＤの残りの再生時間を監視し、該ＤＶＤの残りの再生時間が所定時間に達したときに、前記制御手段に対してビデオテープによる前記リレー再生の要求を行い、
前記制御手段は、前記ＤＶＤ録画／再生手段からのリレー再生の要求があると、前記ビデオテープ録画／再生手段にリレー録画された番組のリレー再生開始を指示し、
前記ビデオテープ録画／再生手段は、前記制御手段からリレー再生開始の指示があると、本体にセットされているビデオテープの再生を開始する複合装置。
【請求項３】
録画開始時間、録画終了時間、録画するチャンネル、および録画媒体への録画を実行する録画／再生手段を指定する予約録画情報を受け付ける予約録画受付手段を備え、
前記制御手段は、前記予約録画受付手段が受け付けている前記予約録画情報に基づいて、前記録画／再生手段による番組の録画を制御する請求項２に記載の複合装置。
【請求項４】
前記リレー録画が実行された後、本体にセットされているＤＶＤまたはビデオテープの少なくとも一方が本体から取り出されると、前記ビデオテープ録画／再生手段による前記リレー再生を禁止するリレー再生禁止手段を備えた請求項２または３に記載の複合装置。
【発明の詳細な説明】
【技術分野】
【０００１】
この発明は、ＤＶＤおよびビデオテープの２種類の記録媒体に対して、番組の録画や録画されている番組の再生を行う録画／再生部を２つ設けた複合装置に関する。
【背景技術】
【０００２】
従来、ＤＶＤ、ビデオテープ等の２種類の記録媒体に対して、それぞれ番組の録画や録画されている番組の再生を行う録画／再生部を設けた複合装置、所謂ＤＵＡＬレコーダ、が実用化されている。また、特許文献１に示されているように、一方の録画／再生部で番組の録画を行っているときに、この一方の録画／再生部にセットされている記録媒体の空き容量が無くなる直前に、他方の録画／再生部においてこの番組を録画するリレー録画が行えるＤＵＡＬレコーダが従来提案されている。このリレー録画機能を有するＤＵＡＬレコードでは、一方の録画／再生部で番組の録画を行っているときに、この一方の録画／再生部にセットされている記録媒体の空き容量が無くなっても、番組の録画が途中で途切れることがない。また、このリレー録画機能により、２つの記録媒体に録画された番組の再生時には、この番組の再生が途切れないように、一方の録画／再生部での再生が停止するときに、他方の録画／再生部での記録媒体の再生を自動的に開始し、リレー録画された番組を連続的に再生するリレー再生機能が設けられている。
【特許文献１】特開２００２−３５９７９４号公報
【発明の開示】
【発明が解決しようとする課題】
【０００３】
しかしながら、特許文献１で提案されているＤＵＡＬレコーダは、番組を録画している一方の録画／再生部にセットされている記録媒体の空き容量を監視することができないことから、一方の録画／再生部における番組の録画を開始したときに、同時に他方の録画／再生部においてもこの番組の録画を開始している。言い換えれば、番組の録画を開始してから、一方の録画／再生部にセットされている記録媒体の空き容量がなくなるまで、常に２つの録画／再生部が同じ番組の録画にかかる動作を行っている。ユーザが番組を録画する場合、一方の録画／再生部にセットされている記録媒体の空き容量がなくなる前に録画が終了することのほうが多く、まれにおきる番組の録画を行っている一方の録画／再生部にセットされている記録媒体の空き容量が無くなるという事態に対して、他方の録画／再生部が番組を録画するという動作は無駄が多く、電力を無駄に消費するという問題があった。
【０００４】
この発明の目的は、番組を録画しているＤＶＤ録画／再生部にセットされているＤＶＤの空き容量が無くなる直前に、ビデオテープ録画／再生部においてこの番組を録画するリレー録画が行え、且つ装置本体の消費電力の無駄を抑えた複合装置を提供することにある。
【課題を解決するための手段】
【０００５】
この発明の複合装置は、上記課題を解決するために以下の構成を備えている。
【０００６】
（１）受信している放送信号から選択されているチャンネルで放送されている番組を抽出する受信手段と、
前記受信手段が抽出した番組をＤＶＤに録画、およびＤＶＤに録画されている番組の再生を行うＤＶＤ録画／再生手段と、
前記受信手段が抽出した番組をビデオテープに録画、およびビデオテープに録画されている番組の再生を行うビデオテープ録画／再生手段と、
前記ＤＶＤ録画／再生手段による番組の録画を実行しているとき、本体にセットされているＤＶＤの空き容量が無くなって、このＤＶＤへの番組の録画が実行できなくなる直前に、前記ビデオテープ録画／再生手段によりこの番組の録画を開始するリレー録画を制御する制御手段と、を備えた複合装置において、
前記ＤＶＤ録画／再生手段は、録画中に本体にセットされているＤＶＤの空き容量を監視し、該ＤＶＤの空き容量が所定量に達したときに、前記制御手段に対してビデオテープによる前記リレー録画の要求を行い、
前記制御手段は、前記ＤＶＤ録画／再生手段からリレー録画の要求があると、前記ビデオテープ録画／再生手段に対して、リレー録画の開始を指示し、
前記ビデオテープ録画／再生手段は、前記制御手段からリレー録画の開始の指示があると、本体にセットされているビデオテープにおけるこのリレー録画の開始位置にインデックスを記録し、番組の録画を開始し、
さらに、前記ビデオテープ録画／再生手段は、前記ＤＶＤ録画／再生手段において前記リレー録画を行った番組の再生が開始されたとき、ビデオテープに記録されている前記インデックスを基に、このビデオテープにおけるリレー録画の開始位置の頭出しを行い、
前記ＤＶＤ録画／再生手段は、リレー録画した番組の再生中に本体にセットされているＤＶＤの残りの再生時間を監視し、該ＤＶＤの残りの再生時間が所定時間に達したときに、前記制御手段に対してビデオテープによる前記リレー再生の要求を行い、
前記制御手段は、前記ＤＶＤ録画／再生手段からのリレー再生の要求があると、前記ビデオテープ録画／再生手段にリレー録画された番組のリレー再生開始を指示し、
前記ビデオテープ録画／再生手段は、前記制御手段からリレー再生開始の指示があると、本体にセットされているビデオテープの再生を開始する。
【０００７】
この構成では、ＤＶＤ録画／再生手段が録画時に番組を録画しているＤＶＤ（本体にセットされているＤＶＤ）の空き容量を監視し、この空き容量が所定量に達すると、制御手段に対してビデオテープによるリレー録画を要求する。前記所定量は、例えば、再生時間が数１０秒程度になる容量で、停止状態であるビデオテープ録画／再生手段がこのリレー録画の要求から番組の録画を開始するのに要する時間より数秒程度長い時間であればよい。制御手段は、リレー録画の要求があると、ビデオテープ録画／再生手段に対してリレー録画の開始を指示する。ビデオテープ録画／再生手段は、リレー録画の開始の指示があると、今回のリレー録画の開始位置を示すインデックスをビデオテープに記録する。このインデックスは、例えば周知のＶＩＳＳ（ＶＨＳ  Ｉｎｄｅｘ  Ｓｅａｒｃｈ  Ｓｙｓｔｅｍ）によるものである。ビデオテープ録画／再生手段は、前記インデックスの記録を完了すると、ビデオテープへの番組の録画を開始する。ＤＶＤ録画／再生手段による番組の録画は、ビデオテープ録画／再生手段による番組の録画が開始されてから、数秒（１〜２秒）後にＤＶＤの空き容量が無くなって停止する。
【０００８】
また、ビデオテープ録画／再生手段は、ＤＶＤ録画／再生手段においてリレー録画を行った番組の再生が開始されると、本体にセットされているビデオテープに対してリレー録画の開始時に記録したインデックスを基に、リレー録画した番組の頭出しを行う。また、ＤＶＤ録画／再生手段が、リレー録画した番組の再生中に本体にセットされているＤＶＤの残りの再生時間を監視し、該ＤＶＤの残りの再生時間が所定時間に達したときに、前記制御手段に対してビデオテープによるリレー再生の要求を行う。前記所定時間は、ビデオテープ録画／再生手段がこのリレー再生の要求から番組の再生を開始するのに要する時間より数秒程度長い時間であればよい。制御手段は、リレー再生の要求があると、ビデオテープ録画／再生手段に対してリレー再生開始を指示する。ビデオテープ録画／再生手段は、リレー再生開始の指示があると、本体にセットされているビデオテープの再生を開始する。ＤＶＤ録画／再生手段による番組の再生は、ビデオテープ録画／再生手段による番組の再生が開始されてから、数秒（１〜２秒）後に停止する。
【０００９】
このように、ＤＶＤ録画／再生手段が録画中に、記録媒体であるＤＶＤの空き容量を監視し、空き容量が所定量に達したときに（番組を最後まで録画できないと判定したときに）、リレー録画の要求を行い、ビデオテープ録画／再生手段による番組のリレー録画を行うようにしたので、ＤＶＤ録画／再生手段と、ビデオテープ録画／再生手段の両方が、共に番組を録画している時間がわずかであり、装置本体の消費電力を十分に抑えることができる。
【００１０】
また、リレー録画された番組の再生時には、ＤＶＤ録画／再生手段が再生中に、記録媒体であるＤＶＤの残りの再生時間を監視し、残りの再生時間が所定時間に達したときに（ＤＶＤの再生が所定時間後に停止すると判定したときに）、リレー再生の要求を行い、ビデオテープ録画／再生手段による番組のリレー再生を行うようにしたので、リレー録画された番組の再生もスムーズに行われる。
【００１１】
（２）録画開始時間、録画終了時間、録画するチャンネル、および録画媒体への録画を実行する前記録画／再生手段を指定する予約録画情報を受け付ける予約録画受付手段を備え、
前記制御手段は、前記予約録画受付手段が受け付けている前記予約録画情報に基づいて、前記録画／再生手段による番組の録画を制御する。
【００１２】
この構成では、予約録画による番組の録画時にもリレー録画を行うことができ、ユーザの操作性の向上が図れる。
【００１３】
（３）前記リレー録画が実行された後、本体にセットされているＤＶＤまたはビデオテープの少なくとも一方が本体から取り出されると、前記ビデオテープ録画／再生手段による前記リレー再生を禁止するリレー再生禁止手段を備えている。
【００１４】
この構成では、リレー録画を実行した後、本体にセットされているＤＶＤまたはビデオテープの少なくとも一方が本体から取り出されると、リレー再生を禁止する構成としたので、本体にセットされているＤＶＤにリレー録画された番組と、本体にセットされているビデオテープにリレー録画された番組とが異なる番組であるときに、誤ったリレー再生が行われることがない。
【発明の効果】
【００１５】
この発明によれば、ＤＶＤ録画／再生手段が録画中に、記録媒体であるＤＶＤの空き容量を監視し、空き容量が所定量に達したときに、リレー録画の要求を行い、ビデオテープ録画／再生手段による番組のリレー録画を行うようにしたので、ＤＶＤ録画／再生手段と、ビデオテープ録画／再生手段の両方が、共に番組を録画している時間がわずかであり、装置本体の消費電力を十分に抑えることができる。
【００１６】
また、リレー録画された番組の再生時には、ＤＶＤ録画／再生手段が再生中に、記録媒体であるＤＶＤの残りの再生時間を監視し、残りの再生時間が所定時間に達したときに、リレー再生の要求を行い、ビデオテープ録画／再生手段による番組のリレー再生を行うようにしたので、リレー録画された番組の再生もスムーズに行われる。
【発明を実施するための最良の形態】
【００１７】
以下、この発明の実施形態である複合装置について説明する。
【００１８】
図１は、この発明の実施形態である複合装置の主要部の構成を示すブロック図である。この実施形態の複合装置１は、本体の動作を制御する制御部２と、図示していないアンテナで受信されているテレビ放送信号から選択されているチャンネルで放送されている番組を抽出する受信部３と、ＤＶＤに対する番組の録画やＤＶＤに録画されている番組の再生を行うＤＶＤ処理部４と、ビデオテープに対する番組の録画やビデオテープに録画されている番組の再生を行うビデオテープ処理部５（ＶＴ処理部５）と、ＤＶＤ処理部４またはＶＴ処理部５から出力されている映像信号、および音声信号を選択的に切り替えて出力する出力切替部６と、装置本体に対する入力操作を行う操作部７と、を備えている。受信部３は、所謂チューナであり、選択されているチャンネルで放送されている番組の映像信号、および音声信号を抽出して出力する。受信部３から出力された映像信号、および音声信号は、ＤＶＤ処理部４およびＶＴ処理部５に入力される。ＤＶＤ処理部４、およびＶＴ処理部５は受信部３から入力された番組の映像信号、および音声信号を必要に応じて取り込み、記録媒体であるＤＶＤやビデオテープに録画する。また、ＤＶＤ処理部４、およびＶＴ処理部５は録画または再生している番組の映像信号および音声信号を出力する。出力切替部６は、ＤＶＤ処理部４またはＶＴ処理部５の一方から出力されている番組の映像信号、および音声信号を選択的に出力する。出力切替部６から出力された番組の映像信号、および音声信号は図示していない表示装置やスピーカに入力される。操作部７には、図示していないリモコン装置から送信されてきた装置本体に対する制御信号を受信するリモコン受信部が設けられている。ユーザは、装置本体をリモコン装置で遠隔操作できる。
【００１９】
また、この実施形態の複合装置１は、ＤＶＤとビデオテープとの間でダビングが行える。ダビング方向がＤＶＤからビデオテープの場合、ＤＶＤ処理部４で再生された映像信号および音声信号がＶＴ処理部５に入力され、ＶＴ処理部５でビデオテープにダビング録画される。ダビング方向がビデオテープからＤＶＤの場合、ＶＴ処理部５で再生された映像信号および音声信号がＤＶＤ処理部４に入力され、ＤＶＤ処理部４でＤＶＤにダビング録画される。出力切替部６は、どちらの場合も記録媒体（ＤＶＤまたはビデオテープ）を再生している側の処理部から入力されている映像信号および音声信号を出力する。
【００２０】
また、この実施形態の複合装置１は、ＤＶＤ処理部４でＤＶＤに番組を録画しているとき、このＤＶＤの空き容量が無くなって、この番組の録画が行えなくなる直前に、この番組をＶＴ処理部５でビデオテープに録画するリレー録画機能を有している。また、このリレー録画機能については、ユーザが有効にするかどうかを設定できる。さらに、リレー録画によりＤＶＤおよびビデオテープに跨がって録画された番組について、ＤＶＤに録画された部分の再生終了後、ビデオテープに録画された部分を連続的に再生するリレー再生機能を有している。このリレー再生機能は、リレー録画が実行されたときに有効になり、その後ＤＶＤまたはビデオテープの少なくとも一方が本体から取り出されたときに無効になる。
【００２１】
次に、この実施形態の複合装置１における、リレー録画機能にかかる動作について説明する。図２は、ＤＶＤ処理部が録画中であるときの、この実施形態の複合装置の動作（必要に応じてリレー録画を実行する動作）を示すフローチャートである。複合装置１は、ＤＶＤ処理部４において録画が開始されると、この動作を実行する。まず、ＤＶＤ処理部４における録画がＶＴ処理部５で再生されている番組のダビングであるかどうかを判定し（ｓ１）、ダビングであれば本処理を終了する。ダビングである場合、ＶＴ処理部５が再生中であるので、リレー録画を実行できないのでこの処理を終了する。ダビング中でなければ、今回のＤＶＤ処理部４における録画完了するまで、ＤＶＤ処理部４からリレー録画の要求を待つ（ｓ２、ｓ３）。ＤＶＤ処理部４からリレー録画の要求が無いまま録画が完了すると本処理を終了する。ＤＶＤ処理部４からリレー録画の要求が無いまま録画が完了した場合、後述するように番組はＤＶＤに全て録画されている。
【００２２】
なお、ＤＶＤ処理部５における録画は、公知の予約録画機能による録画であってもよいし、予約録画機能によらない録画（操作部７頭における録画開始の入力による録画）であってもよい。複合装置１は、図示していないが入力された録画予約情報を記憶するメモリを制御部２に有している。この録画予約情報には、録画開始日時、録画終了日時、録画する番組が放送されるチャンネル、および録画を行う処理部（ＤＶＤ処理部４、またはＶＴ処理部５）を示す情報が含まれている。
【００２３】
ＤＶＤ処理部４は、番組を録画している間、常にＤＶＤの空き容量を監視している。ＤＶＤの空き容量は、本体にセットされているＤＶＤの全容量から、現在番組を録画している記録位置との差分により算出する。ＤＶＤ処理部４は、番組の録画中にＤＶＤの空き容量が所定量に達すると、制御部２に対してリレー録画を要求する。この所定量は、例えば、再生時間が数１０秒程度になる容量で、停止状態であるＶＴ処理部５がこのリレー録画の要求から番組の録画を開始するのに要する時間より数秒（２〜３秒）長い時間に設定されている。言い換えれば、ＤＶＤ処理部４は、録画中にＤＶＤの空き容量が所定量に達し無い限り、制御部２に対してリレー録画を要求しない。したがって、ＤＶＤ処理部４からリレー録画の要求が無いまま録画が完了した場合、この番組はＤＶＤに全て録画されている。
【００２４】
制御部２は、ＤＶＤ処理部４からリレー録画の要求があると、リレー録画機能が有効に設定されているかどうかを判定する（ｓ４）。リレー録画機能に有効にするか、無効するかについては、ユーザが操作部７等において任意に設定できる。リレー録画機能が無効に設定されていれば、本処理を終了する。この場合、ＤＶＤの空き容量が無くなった時点で、ＤＶＤ処理部４における録画が停止する。したがって、番組は途中までしか録画されないが、これはユーザがリレー録画機能を無効にしていることが原因であるので、特に問題はない。
【００２５】
制御部２は、ｓ４でリレー録画機能が有効に設定されていると判定すると、ＶＴ処理部５が番組の録画を行える状態であるかどうかを判定する（ｓ５）。ｓ５では、ＶＴ処理部５が動作を停止しており、且つ録画可能なビデオテープがセットされていれば録画可能であると判定する。制御部２は、ｓ５で録画できない状態であると判定すると、本処理を終了する。反対に、録画可能な状態であると判定すると、ＶＴ処理部５に対してリレー録画の開始を指示する（ｓ６）。
【００２６】
ここで、制御部２からリレー録画の開始が指示されたＶＴ処理部５の動作について説明する。図３は、ＶＴ処理部におけるリレー録画処理を示すフローチャートである。このリレー録画処理は、制御部２からリレー録画の開始が指示されたときに実行される。ＶＴ処理部５は、セットされているビデオテープを巻き戻しや早送りをすることなく、その時点における記録位置をリレー録画の開始位置とし、ここにリレー録画の開始位置を示すインデックスをビデオテープに記録する（ｓ１１）。このインデックスは、例えば周知のＶＩＳＳ（ＶＨＳ  Ｉｎｄｅｘ  Ｓｅａｒｃｈ  Ｓｙｓｔｅｍ）によるものである。ＶＴ処理部５は、ビデオテープに前記インデックスの記録を完了すると、受信部３で受信している番組の録画を開始する（ｓ１２）。ＤＶＤ処理部４における番組の録画は、ｓ１２でビデオテープへの録画が開始されてから、数秒（１〜２秒）後にＤＶＤの空き容量が無くなって停止する。ビデオ処理部５は、ｓ１２で録画を開始すると、録画が終了するか（ｓ１３）、記録位置がビデオテープの後端に達し、これ以上録画できない状態になると（ｓ１４）、番組の録画を終了する。
【００２７】
図２に戻って、制御部２は、ｓ６でＶＴ処理部５にリレー録画開始を指示すると、この時点で録画している番組、すなわち今回リレー録画することにななった番組、のタイトルを記憶するとともに、リレー再生が有効に設定し（ｓ７、ｓ８）、本処理を終了する。
【００２８】
このように、この実施形態の複合装置１は、ＤＶＤ処理部４が録画中に、記録媒体であるＤＶＤの空き容量を監視し、空き容量が所定量に達したときに、リレー録画の要求を行い、ＶＴ処理部５による番組のリレー録画を行うようにしたので、ＤＶＤ処理部４と、ＶＴ処理部５の両方が、共に番組を録画している時間がわずかであり、装置本体の消費電力を十分に抑えることができる。
【００２９】
複合装置１は、上述したリレー録画を行うと、これ以降ＤＶＤ処理部４にセットされているＤＶＤ、またはＶＴ処理部５にセットされているビデオテープの一方が本体から取り出されるのを監視しており、少なくとも一方が取り出されると、上述したリレー再生を有効から無効に設定を変更する。言い換えれば、リレー録画が行われてから、ＤＶＤまたはビデオテープの一方が本体から取り出されるまでの間、リレー再生が有効に設定されている。
【００３０】
次に、この実施形態の複合装置１における、リレー再生機能にかかる動作について説明する。図４は、ＤＶＤ処理部が再生中であるときの、この実施形態の複合装置の動作（必要に応じてリレー再生を実行する動作）を示すフローチャートである。複合装置１は、ＤＶＤ処理部４において再生が開始されると、この動作を実行する。制御部２は、リレー再生が有効であるかどうかを判定する（ｓ２１）。ｓ２１で有効でないと判定すると、この処理を終了する。反対に、ｓ２１で有効であると判定すると、今回再生を開始したＤＶＤに録画されている番組が、リレー録画機能によりＤＶＤとビデオテープに跨がってリレー録画された番組であるかどうかを判定する（ｓ２２）。この判定は、最後に行ったリレー録画の際に記憶した番組のタイトルと、今回再生を開始した番組のタイトルとが一致しているかどうかにより判定される。
【００３１】
制御部２は、ｓ２２でリレー録画された番組でないと判定すると、本処理を終了する。反対に、リレー録画された番組であると判定すると、ＶＴ処理部５に対して頭出しを指示する（ｓ２３）。ＶＴ処理部５は、この制御部２からの頭出しの指示により、リレー録画際にビデオテープに記録したインデックスのサーチを行い、リレー録画した番組の録画開始位置の頭出しを行う。
【００３２】
制御部２は、ＶＴ処理部５に対して頭出しの指示を行うと、ＤＶＤ処理部４からリレー再生の要求があるのを待つ（ｓ２４）。ＤＶＤ処理部４は、リレー録画した番組の再生中に本体にセットされているＤＶＤの残りの再生時間を監視しており、該ＤＶＤの残りの再生時間が所定時間に達したときに、制御部２に対してリレー再生の要求を行う。この所定時間は、ＶＴ処理部５がこのリレー再生の要求から番組の再生を開始するのに要する時間より数秒程度長い時間であればよい。制御部２は、ＤＶＤ処理部４からリレー再生の要求があると、ＶＴ処理部５に対してリレー再生開始を指示する（ｓ２５）。このリレー再生開始を指示されたＶＴ処理部５は、ビデオテープの再生を開始する。制御部２は、ＶＴ処理部５におけるビデオテープの再生が開始されるの待って（ｓ２６）、出力切替部６に対して、出力信号をＤＶＤ処理部４側から、ＶＴ処理部６側に切り替えることを指示する（ｓ２７）。これにより、外部に出力される映像信号、および音声信号が、ＤＶＤ処理部４側からＶＴ処理部５側に切り替えられる。この切替の後、数秒後にＤＶＤ処理部５におけるＤＶＤの再生は停止される。
【００３３】
このように、リレー録画された番組の再生時には、ＤＶＤ処理部４が再生中に、記録媒体であるＤＶＤの残りの再生時間を監視し、残りの再生時間が所定時間に達したときに（ＤＶＤの再生が所定時間後に停止すると判定したときに）、リレー再生の要求を行い、ＶＴ処理部による番組のリレー再生を行うようにしたので、リレー録画された番組、すなわちＤＶＤとビデオテープに跨がって録画された番組、の再生がスムーズに行われる。
【００３４】
また、リレー録画実行後に後に、本体にセットされているＤＶＤまたはビデオテープの少なくとも一方が本体から取り出されると、リレー再生を禁止する構成としたので、本体にセットされているＤＶＤにリレー録画された番組と、本体にセットされているビデオテープにリレー録画された番組とが異なる番組であるときに、誤ったリレー再生が行われ、ユーザを不愉快にさせることもない。
【図面の簡単な説明】
【００３５】
【図１】この発明の実施形態である複合装置の主要部の構成を示すブロック図である。
【図２】ＤＶＤ処理部が録画中であるときの、この実施形態の複合装置の動作を示すフローチャートである。
【図３】ＶＴ処理部におけるリレー録画処理を示すフローチャートである。
【図４】ＤＶＤ処理部が再生中であるときの、この実施形態の複合装置の動作を示すフローチャートである。
【符号の説明】
【００３６】
１−複合装置
２−制御部
３−受信部
４−ＤＶＤ処理部
５−ＶＴ処理部
６−出力切替部
７−操作部
【図１】
2005333577.tif 000003
【図２】
2005333577.tif 000004
【図３】
2005333577.tif 000005
【図４】
2005333577.tif 000006